(57)【要約】【課題】  衣類を型崩れなく垂直重ね収納でき、スムーズな衣類の出し入れも可能にする。【解決手段】  収納形状に折り畳まれた衣類５０の上側外面または下側外面に着接される略四角形状の仕切り板１１と、収納形状の衣類の前記二つ折りによる上下折重部Ａ１、Ａ２の間に挟み入れられる押さえ板１２とを備え、仕切り板１１の少なくとも外側表面は平滑面１１ａとし、押さえ板１２の内外両面はゴム面１２ａ、１２ｂまたは凹凸面とする。衣類５０を収納するときは、収納形状の衣類５０の前記二つ折りによる上下折重部Ａ１、Ａ２の間に押さえ板１２を挟み入れ、押さえ板１２と仕切り板１１とで上下折重部Ａ１、Ａ２のいずれか一方を挟むと共に、押さえ板１２の上端縁１２ｃを二つ折り箇所Ａの内側に突き当て、かつ、収納場所内で隣接する衣類との間に仕切り板１１を介在させ、仕切り板１１の平滑面１１ａの滑りによりスムーズに衣類５０を出し入れする。【選択図】図３
2007145420.tif 000002
【特許請求の範囲】
【請求項１】
最後の二つ折りを含む複数回の折り畳みを経て略四角形の収納形状となった衣類に取り付けられる衣類収納補助具であって、
前記収納形状に折り畳まれた衣類の上側外面または下側外面に着接される略四角形状の仕切り板と、前記収納形状の衣類の前記二つ折りによる上下折重部の間に挟み入れられる押さえ板とを備え、
前記仕切り板の少なくとも外側表面は平滑面とし、前記押さえ板の内外両面はゴム面または凹凸面とし、
前記衣類を収納するときは、前記収納形状の衣類の前記二つ折りによる上下折重部の間に前記押さえ板を挟み入れ、前記押さえ板と前記仕切り板とで前記折重部の上下いずれか一方を挟み、かつ、前記押さえ板の一端縁を前記二つ折り箇所の内側に突き当て、
次いで、収納場所内で隣接する衣類との間に前記仕切り板を介在させ、かつ、衣類の出し入れ方向に対して平行な状態で衣類を重ねて収納することにより、衣類の収納位置を問わず、前記仕切り板の前記平滑面の滑りによりスムーズに衣類を出し入れできるようにする衣類収納補助具。
【請求項２】
前記押さえ板は可撓性を有し、かつ、該仕切り板の四辺縁のうち少なくとも一辺縁に折り畳み開閉可能に接続されている請求項１に記載の衣類収納補助具。
【請求項３】
前記押さえ板は、前記仕切り板の左右両側辺縁に左右一対に接続され、該左右一対の押さえ板は観音扉状に開閉可能であると共に、閉鎖状態においても互いに一部も重合しないように形成されている請求項２に記載の衣類収納補助具。
【請求項４】
前記衣類収納補助具は、引き出し等の上面開口の収納容器に衣類を垂直方向に立てて収納するときに用いられ、
前記押さえ板は、左右両側辺縁またはいずれか一方の辺縁に接続され、収納時に衣類の前記二つ折り箇所を内側から押さえる第一押さえ部と、収納時に衣類の前記二つ折り箇所よりも下方位置を押さえる第二押さえ部とを備える略コ字形状よりなる請求項２または請求項３に記載の衣類収納補助具。
【請求項５】
前記仕切り板と前記押さえ板はヒンジ部を介して接続されている請求項２乃至請求項４のいずれか１項に記載の衣類収納補助具。
【請求項６】
前記仕切り板と前記押さえ板とは連結片または連結板を介して接続され、前記仕切り板と前記押さえ板との接続端間を所要寸法離反させている請求項２乃至請求項４のいずれか１項に記載の衣類収納補助具。
【請求項７】
前記連結片または連結板は弾性バネ体よりなり、前記仕切り板と前記押さえ板とを常に閉鎖方向に付勢している請求項６に記載の衣類収納補助具。
【請求項８】
前記連結片または連結板は、繰り返し屈伸変形可能に形成され、前記仕切り板と前記押さえ板との接続端間寸法を伸縮させることができる請求項６に記載の衣類収納補助具。
【請求項９】
前記衣類収納補助具は、引き出し等の上面開口の収納容器に衣類を垂直方向に立てて収納するときに用いられ、
前記仕切り板は、下端部を内側に曲げ返して下部押さえ部を連続一体に形成した断面略Ｊ字形状とし、立てて収納される衣類の下端部を該下部押さえ部で受けると共に挟み押さえる構成としている請求項１乃至請求項８のいずれか１項に記載の衣類収納補助具。
【請求項１０】
最後の二つ折りを含む複数回の折り畳みを経て略四角形の収納形状となった衣類に取り付けられる衣類収納補助具であって、
前記収納形状における衣類の上側外面または下側外面に着接される略四角形状の仕切り板と、該仕切り板に両端を固定された押さえバンドとを備え、
前記仕切り板は、少なくとも外側表面を平滑面とし、
前記衣類を収納するときは、前記収納形状の衣類の前記二つ折りによる上下折重部の間に前記押さえバンドを挟み入れ、該押さえバンドと前記仕切り板とで前記折重部の上下いずれか一方を挟み、かつ、前記押さえバンドを前記二つ折り箇所の内側に当て、
次いで、収納場所内で隣接する衣類との間に前記仕切り板を介在させ、かつ、衣類の出し入れ方向に対して平行な状態で衣類を重ねて収納することにより、衣類の収納位置を問わず、前記仕切り板の前記平滑面の滑りによりスムーズに衣類を出し入れできるようにする衣類収納補助具。
【請求項１１】
前記衣類収納補助具は、引き出し等の上面開口の収納容器に衣類を垂直方向に立てて収納するときに用いられ、
前記仕切り板には、前記押さえバンドに加え、両端を固定された第二押さえバンドを設け、収納時に衣類の前記二つ折り箇所よりも下方位置を前記第二押さえバンドで押さえる構成としている請求項１０に記載の衣類収納補助具。
【請求項１２】
前記押さえバンドおよび第二押さえバンドはそれぞれ、左右一対のバンドの分離端に設けた連結部で分離可能に連結してなる請求項１０または請求項１１に記載の衣類収納補助具。
【請求項１３】
前記押さえバンドは伸縮ゴム紐よりなる請求項１０乃至請求項１２のいずれか１項に記載の衣類収納補助具。
【請求項１４】
前記衣類収納補助具は、引き出し等の上面開口の収納容器に衣類を垂直方向に立てて収納するときに用いられ、
前記仕切り板は、下端部を内側に曲げ返して下部押さえ部を連続一体に形成した断面略Ｊ字形状とし、立てて収納される衣類の下端部を該下部押さえ部で受けると共に挟み押さえる構成としている請求項１０乃至請求項１３のいずれか１項に記載の衣類収納補助具。
【発明の詳細な説明】
【技術分野】
【０００１】  本発明は、衣類収納補助具に関し、特に、折り畳まれた複数の衣類を重ねて収納するとき、および、該衣類を出し入れするときに好適に用いられるものに関する。
【背景技術】
【０００２】  一般に、家庭内で衣類を折り畳んで収納するとき、箪笥や押入れ収納ケースなど、上面開口の引き出しケースに収納することが多い。その場合、衣類を水平状態にして上下に重ねて収納（以下「水平重ね収納」と略す）することが多い。
しかしながら、上下に重ねられた衣類を上方から出し入れすることは容易でなく、特に、下方に収納された衣類を取り出すときは、上下衣類との摩擦で双方が型崩れしやすいうえ、所望の衣類を探し出すことも容易ではなかった。また、水平重ね収納では、収納ケース内に無駄なスペースが生じやすく、収納効率が悪い点にも問題があった。【０００３】  一方、折り畳んだ衣類を垂直に立てて前後あるいは左右方向に重ねて収納（以下「垂直重ね収納」と略す）すると、収納ケースの幅、奥行き、高さを目一杯活用でき、収納できる衣類数が増えると共に、引き出しのような上面開口の収納ケースであっても衣類の出し入れが容易となるなどのメリットがある。
しかしながら、薄手のニット類や化繊の衣類のように柔らかい生地の衣類は、垂直形状を維持できず、下方にズレ落ちたり型崩れし、綺麗に収納できない点に問題があった。【０００４】  これらの問題に関し、従来より、衣類の重ね収納を改善する提案がいくつかなされている。【０００５】  例えば、図２８に示すように、特開平２００１−１４９２０８号（特許文献１）では、保持棒１ａを立設した台板１ｂと、該保持棒１ａを突き通す保持穴１ｃを設けたシート１ｄとを備え、前記保持穴１ｃの周縁からシート１ｄの端縁まで切り込み１ｅを設けたバインダー１が提案されている。このバインダー１は、折り畳んだ衣類をシート１ｄ上に載置し、該衣類を収納するときは、シート１ｄの保持穴１ｃに前記切り込み１ｅから前記保持棒１ａを挿入し貫通させて台板１ｂに保持させることにより、複数の衣類を水平重ね収納でき、衣類を取り出すときは、所望の衣類を前記シート１ｄと共に引き出すことにより、前記切り込み１ｅから前記保持棒１ａが抜け、シート１ｄが該保持棒１ａから外れて衣類を取り出すことができる。このとき、前記シート１ｄが上下衣類間の緩衝材として機能し、上下衣類同士が直接接触しないため、摩擦で衣類が型崩れすることもなく、スムーズに取り出すことができるとしている。【０００６】  また、図２９に示すように、特開平１１−１３９４７３号（特許文献２）では、折り畳まれたシャツの背面に当たる長方形の背面押さえ平板部２ａと、該背面押さえ平板部２ａと対向して設けられる前面押さえ平板部２ｂと、該背面押さえ平板部２ａおよび／または前面押さえ平板部２ｂの対向面に内面に突出する突部２ｃを設けてなるシャツホルダ２が提案されている。このシャツホルダ２により、折り畳まれた各シャツの背面および前面がカバーされ、また前記突部２ｃによりシャツが押さえつけられるため、多数のシャツを積み重ねて収納しても型崩れや位置ずれしにくく、また、背面押さえ平板部２ａおよび前面押さえ平板部２ｂにより、重なり合うシャツ同士の直接接触を防ぎ、シャツの出し入れもスムーズにできるとしている。【０００７】  しかしながら、前記バインダー１は、シャツ類を棚に収納する場合、即ち水平重ね収納する場合には有用であるが、上面開口の引き出しケースなどに重ねて収納する場合には不向きである。該バインダー１を垂直方向に使用し、折り畳まれたシャツを垂直重ね収納することも不可能ではないが、シャツを垂直に立てて収納するときのシャツの滑り止め構造が設けられておらず、ずり落ちによる型崩れや不要な皺の発生を防止できない。【０００８】  前記シャツホルダ２は、水平重ね収納の場合のみでなく、垂直重ね収納の場合でも、シャツの滑り落ちを防止でき、型崩れや皺の発生を防止できると考えられるが、前記突部２ｃにより、特に目立ちやすいシャツの前表に該突部２ｃの型がつきやすく、型消しのためのアイロン掛けを要するなどの問題がある。【０００９】  さらに、図３０に示すように、実用新案登録第３０９０２２９号（特許文献３）では、上面開口の箱型ボックス３の内部に、長手方向にスライド可能な仕切り板３ａを設けることが提案されている。該ボックス３は、前記仕切り板３ａにより衣類等の垂直重ね収納が可能であるが、化繊や薄手ニットのようにしなやか過ぎて自立性の低い衣類は、やはりズリ落ちやすいうえ、隣り合う衣類との摩擦によりスムーズに衣類を出し入れすることが難しい。【００１０】
【特許文献１】特開２００１−１４９２０８号公報
【特許文献２】特開平１１−１３９４７３号公報
【特許文献３】実用新案登録第３０９０２２９号公報
【発明の開示】
【発明が解決しようとする課題】
【００１１】  本発明は前記課題に鑑みてなされたもので、衣類の水平重ね収納のみでなく、垂直重ね収納にも好適に用いられ、収納時の衣類の型崩れや位置ズレを防止できると共に、スムーズな衣類の出し入れを可能とする衣類収納補助具の提供を課題としている。
【課題を解決するための手段】
【００１２】  前記課題を解決するため、本発明は、最後の二つ折りを含む複数回の折り畳みを経て略四角形の収納形状となった衣類に取り付けられる衣類収納補助具であって、
前記収納形状に折り畳まれた衣類の上側外面または下側外面に着接される略四角形状の仕切り板と、前記収納形状の衣類の前記二つ折りによる上下折重部の間に挟み入れられる押さえ板とを備え、
前記仕切り板の少なくとも外側表面は平滑面とし、前記押さえ板の内外両面はゴム面または凹凸面とし、
前記衣類を収納するときは、前記収納形状の衣類の前記二つ折りによる上下折重部の間に前記押さえ板を挟み入れ、前記押さえ板と前記仕切り板とで前記折重部の上下いずれか一方を挟み、かつ、前記押さえ板の一端縁を前記二つ折り箇所の内側に突き当て、
次いで、収納場所内で隣接する衣類との間に前記仕切り板を介在させ、かつ、衣類の出し入れ方向に対して平行な状態で衣類を重ねて収納することにより、衣類の収納位置を問わず、前記仕切り板の前記平滑面の滑りによりスムーズに衣類を出し入れできるようにする衣類収納補助具を提供している。【００１３】  前記構成よりなる衣類収納補助具は、前記二つ折りの間に押さえ板を挟みこむと共に、該二つ折り箇所の内側に押さえ板の一端縁を突き当てる構成としているため、上面開口の引き出しケース等に垂直重ね収納するときに前記二つ折り箇所を上方に向けて衣類を収納することにより、該二つ折り箇所が前記押さえ板に下（内側）から支持され、衣類のずり落ちを防止することができる。【００１４】  また、前記押さえ板の内外両面に、ゴム面または凹凸面よりなる摩擦面を形成しているため、仕切り板と押さえ板との間に挟まれた部分の衣類も、押さえ板の外側に折られている部分の衣類も、前記摩擦面との接触により位置ズレを防止できる。
さらに、前記仕切り板は収納形状の衣類の両外面ではなく片側外面のみに着接されるが、重ね収納する各衣類に該衣類収納補助具を用いることにより、各衣類間に前記仕切り板を１枚ずつ介在させることができ、隣り合う衣類が直接接触することを防止できると共に、該仕切り板の外側表面を平滑面としているため、衣類の出し入れを、引っ掛かりなくスムーズに行うことができる。言うまでも無く、該衣類収納補助具を用いれば、水平重ね収納においても衣類をスムーズに出し入れすることができる。【００１５】  また、本発明の衣類収納補助具は、一定不可変の厚みを有する箱形状ではなく、仕切り板と押さえ板の２枚の板を衣類に着接させる、あるいは、間に挟むにすぎないため、重ね収納する際にも無駄に厚みを消耗せず、収納効率低下を抑制できる。【００１６】  さらにまた、前記仕切り板の内外両面を平滑面とし、かつ、衣類を折り畳むときに、該衣類の前表面が外側になるように折り畳むことにより、該前表面には前記仕切り板の平滑面のみが接触するため、目立ちやすい衣類前面に妙な型がつくこともなく、取り出したときに即座に美しい状態で着用することができる。
なお、仕切り板の内側表面には、ゴム面のように凹凸の少ない摩擦面を形成してもよい。ゴム面であれば、衣類の表面に型がつくほどの凹凸はなく、かつ、衣類の位置ズレ防止効果を併せ持つことができる。【００１７】  前記押さえ板の形状は四角形状とすることが好ましいが、中央をくり貫いたロ字形状や、コ字形状、日字形状、Ｅ字形状などでもよい。【００１８】  前記押さえ板は可撓性を有し、かつ、該仕切り板の四辺縁のうち少なくとも一辺縁に折り畳み開閉可能に接続されている構成としてもよい。【００１９】  前記押さえ板は、前記仕切り板の左右両側辺縁に左右一対に接続され、該左右一対の押さえ板は観音扉状に開閉可能であると共に、閉鎖状態においても互いに一部も重合しないように形成してもよい。【００２０】  前記衣類収納補助具は、引き出し等の上面開口の収納容器に衣類を垂直方向に立てて収納するときに用いられ、
前記押さえ板は、左右両側辺縁またはいずれか一方の辺縁に接続され、収納時に衣類の前記二つ折り箇所を内側から押さえる第一押さえ部と、収納時に衣類の前記二つ折り箇所よりも下方位置を押さえる第二押さえ部とを備える略コ字形状に形成してもよい。【００２１】  前記仕切り板と前記押さえ板はヒンジ部を介して接続される構成としてもよい。
該ヒンジ部は、薄肉ヒンジのほか、前記仕切り板と前記押さえ板とを２枚の蝶片として回動自在に連結する蝶番構造のヒンジ部としてもよい。
なお、薄肉ヒンジの場合は、該ヒンジに所要幅を持たせることにより、仕切り板と押さえ板との接続端間を所要寸法離反させることが好ましい。これにより、押さえ板と仕切り板との間に挟まれた衣類の厚みを、該薄肉ヒンジの幅で吸収することができる。【００２２】  前記仕切り板と前記押さえ板とは連結片または連結板を介して接続され、前記仕切り板と前記押さえ板との接続端間を所要寸法離反させてもよい。【００２３】  前記連結片または連結板は弾性バネ体よりなり、前記仕切り板と前記押さえ板とを常に閉鎖方向に付勢してもよい。【００２４】  前記連結片または連結板は、繰り返し屈伸変形可能に形成され、前記仕切り板と前記押さえ板との接続端間寸法を伸縮させることができる構成としてもよい。
例えば、平行配置された多数の針金体の表裏両面を、ビニールシート等からなる２枚のフレキシブルシートで覆って接着剤で固着したものを前記連結片または連結板として用い、該連結片または連結板の前記針金体の長さ方向の両端に、前記仕切り板と前記押さえ板とを接続してもよい。この場合、針金体の屈伸変形性と形状維持性を利用して、仕切り板と押さえ板とを所望角度に開閉できると共に、一定の閉鎖状態または開き状態の維持性を備えることができ、さらには、仕切り板と押さえ板との間に挟まれる衣類の厚みに応じて、仕切り板と押さえ板との接続端間寸法を適宜調節できる。【００２５】  前記仕切り板と前記押さえ板、あるいは前記仕切り板と前記押さえ板と前記連結片また連結板とは連続一体に形成してもよい。【００２６】  前記衣類収納補助具は、引き出し等の上面開口の収納容器に衣類を垂直方向に立てて収納するときに用いられ、
前記仕切り板は、下端部を内側に曲げ返して下部押さえ部を連続一体に形成した断面略Ｊ字形状とし、立てて収納される衣類の下端部を該下部押さえ部で受けると共に挟み押さえる構成としてもよい。
この下部押さえ部を設けると、前記二つ折り箇所以外に折り返し箇所があり、かつ、その折り返し箇所が垂直収納のときに下端部に来る場合に、該折り返し箇所を前記下部押さえ部で受けさせて折り畳み崩れを防止することができる。
あるいは、収納形状の衣類の下端部全体を前記下部押さえ部に差し込み、受けさせてもよい。【００２７】  さらに本発明は、最後の二つ折りを含む複数回の折り畳みを経て略四角形の収納形状となった衣類に取り付けられる衣類収納補助具であって、
前記収納形状における衣類の上側外面または下側外面に着接される略四角形状の仕切り板と、該仕切り板に両端を固定された押さえバンドとを備え、
前記仕切り板は、少なくとも外側表面を平滑面とし、
前記衣類を収納するときは、前記収納形状の衣類の前記二つ折りによる上下折重部の間に前記押さえバンドを挟み入れ、該押さえバンドと前記仕切り板とで前記折重部の上下いずれか一方を挟み、かつ、前記押さえバンドを前記二つ折り箇所の内側に当て、
次いで、収納場所内で隣接する衣類との間に前記仕切り板を介在させ、かつ、衣類の出し入れ方向に対して平行な状態で衣類を重ねて収納することにより、衣類の収納位置を問わず、前記仕切り板の前記平滑面の滑りによりスムーズに衣類を出し入れできるようにする衣類収納補助具も提供している。【００２８】  この押さえバンドを備えた衣類収納補助具も、前述の発明同様に、衣類を垂直重ね収納する場合に二つ折り箇所を下から（内側から）押さえバンドが支えるため、衣類のずり落ちを防止できると共に、隣り合う衣類との間に前記仕切り板が介在し、衣類の出し入れをスムーズに行うことができる。また、該衣類収納補助具を用いれば、衣類を水平重ね収納するときにも、衣類をスムーズに出し入れすることができる。【００２９】  さらに、この衣類収納補助具も、一定不可変の厚みを有する箱形状ではなく、１枚の仕切り板を衣類表面に着接し、押さえバンドを衣類の間に挟みこむに過ぎないため、重ね収納する際にも無駄に厚みを消耗せず、収納効率低下を抑制できる。【００３０】  さらにまた、前記仕切り板の内外両面を平滑面とし、かつ、衣類を折り畳むときに、該衣類の前表面が外側になるように折り畳むことにより、該前表面には前記仕切り板の平滑面のみが接触するため、目立ちやすい衣類前面に妙な型がつくこともなく、取り出したときに即座に美しい状態で着用することができる。
なお、仕切り板の内側表面には、ゴム面のように凹凸の少ない摩擦面を形成してもよい。ゴム面であれば、衣類の表面に型がつくほどの凹凸はなく、かつ、衣類の位置ズレ防止効果を併せ持つことができる。【００３１】  前記衣類収納補助具は、引き出し等の上面開口の収納容器に衣類を垂直方向に立てて収納するときに用いられ、
前記仕切り板には、前記押さえバンドに加え、両端を固定された第二押さえバンドを設け、収納時に衣類の前記二つ折り箇所よりも下方位置を前記第二押さえバンドで押さえる構成としてもよい。
さらに、第三、第四の押さえバンドを増設してもよい。【００３２】  前記押さえバンドおよび第二押さえバンドはそれぞれ、左右一対のバンドの分離端に設けた連結部で分離可能に連結することが好ましい。
該連結部として、押さえバンドや第二押さえバンドとは別体の雌雄スナップ、面ファスナー、引っ掛けフック、螺子などを取り付けてもよい。あるいは、押さえバンドや第二押さえバンドの分離端の形状を、フック形状など、互いに係合可能な形状として、該バンドと連結部とを一体に形成してもよい。【００３３】  前記押さえバンドには伸縮ゴム紐を用いることが好ましい。ただし、押さえバンドはこれに限らず、形状を幅広の帯状としてもよく、また、プラスチック製バンドなど、非伸縮性のものを用いてもよい。【００３４】  前記衣類収納補助具は、引き出し等の上面開口の収納容器に衣類を垂直方向に立てて収納するときに用いられ、
前記仕切り板は、下端部を内側に曲げ返して下部押さえ部を連続一体に形成した断面略Ｊ字形状とし、立てて収納される衣類の下端部を該下部押さえ部で受けると共に挟み押さえる構成としてもよい。
この下部押さえ部を設けると、前記二つ折り箇所以外に折り返し箇所があり、かつ、その折り返し箇所が垂直収納のときに下端部に来る場合に、該折り返し箇所を前記下部押さえ部で受けさせて折り畳み崩れを防止することができる。
あるいは、収納形状の衣類の下端部全体を前記下部押さえ部に差し込み、受けさせてもよい。【００３５】  本発明に係る衣類収納補助具は、前記仕切り板や前記押さえ板を、市販されている一般的な押入れ用収納ケースやクローゼット用収納ケースの規格に合わせた大きさおよび形状で作製することにより、汎用性を高めることができる。【００３６】  なお、前記仕切り板および押さえ板は、可撓性と平面保持性の両方を備える材質とすることが好ましく、厚紙、金属製板、プラスチック板などが好適に用いられる。
厚紙の場合は、使用者が自分の収納ケースの大きさに合わせて挟み等で好みの大きさにカットすることができる。また、プラスチック板の場合は、市販されている一般的な押入れ用収納ケースやクローゼット用収納ケースの規格サイズに合わせて、数パターンの外形端縁に沿って折れ筋などを設けておくことにより、使用者が自分の収納ケースに最適な寸法の折れ筋に沿って折り取って、一部を切除することにより、仕切り板および押さえ板の大きさを調節できる構成としてもよい。
【発明の効果】
【００３７】  以上の説明より明らかなように、本発明によれば、衣類の二つ折り箇所の間に挟みいれる前記押さえ板または押さえバンドにより、衣類を水平重ね収納する場合のみでなく、垂直重ね収納する場合でも、折り畳まれた衣類がずり落ちたり、型崩れすることを防止でき、整然と重ねて収納することができる。
また、重ね収納する各衣類に本発明の衣類収納補助具を用いることにより、隣り合う衣類間に仕切り板を１枚ずつ介在させることができるため、該仕切り板の平滑面により、衣類の出し入れもスムーズに行うことができる。
さらに、本発明の衣類収納補助具を用いて、上面開口の引き出しケース等に衣類を垂直重ね収納すると、水平重ね収納する場合に比して、収納効率が上がり、同一スペースにより多くの衣類を収納できると共に、上下衣類を引っ繰り返すことなく、所望の衣類を一目瞭然に探し出し、スムーズに取り出すことができる。
【発明を実施するための最良の形態】
【００３８】  本発明の実施形態を図面を参照して説明する。【００３９】    図１乃至図４は、本発明の第一実施形態に係る衣類収納補助具１０−１を示し、四角形状の薄板よりなるプラスチック製の仕切り板１１と押さえ板１２とからなる。仕切り板１１と押さえ板１２とは別体として分離させている。仕切り板１１の外側表面は凹凸がなく滑らかな平滑面１１ａとし、該仕切り板１１の内側表面には略全面にゴム層（図示せず）を形成してゴム面１１ｂとしている。押さえ板１２の外内表面も、略全面にゴム層（図示せず）を形成してゴム面１２ａ、１２ｂとしている。【００４０】  前記仕切り板１１の大きさは、市販されている一般的な押入れ収納ケースの幅および深さの規格サイズに対応させ、押さえ板１２は、その高さｈ２を仕切り板１１の高さｈ１よりも１ｃｍ〜２ｃｍ短く設計している。【００４１】  前記構成よりなる衣類収納補助具１０−１を用いて引き出しケース４０へ衣類を収納する方法をＴシャツ５０の例で説明する。まず、Ｔシャツ５０の前表面５０ａが収納形状において外側（表側）に向くように、かつ、その収納形状が略四角形状となるように複数回の折り畳みを行う。具体的には、図２（Ａ）に示すように、広げられたＴシャツ５０の両袖５０ｃ等を内側へ折り畳んだ後、後表面５０ｂを内側にして胸位置近傍で上下に二つ折りする。この胸位置近傍の二つ折りにより、襟側の上部折重部Ａ１と、裾側の下部折重部Ａ２とが折り重ねられ、この上部折重部Ａ１と下部折重部Ａ２の間に、図２（Ｂ）にも示すように前記押さえ板１２を挟みいれ、押さえ板１２の一端縁１２ｃを前記二つ折り箇所Ａの内側に突き当てる。【００４２】  前記のように収納形状に折り畳まれた複数のＴシャツ５０を引き出しケース４０に垂直重ね収納する場合は、図３（Ａ）（Ｂ）に示すように、前記二つ折り箇所Ａが上方に向くようにＴシャツ５０を垂直に立て、かつ、上部折重部Ａ１あるいは下部折重部Ａ２の外面に前記仕切り板１１のゴム面１１ｂを着接させ、前記平滑面１１ａを外側にして引き出しケース４０内に入れる。同様に、各Ｔシャツ５１、５２等についても前記押さえ板１２と仕切り板１１とを用いて立てて収納することにより、隣り合うＴシャツ５０、５１、５２間に１枚ずつ仕切板１１を介在させることができ、収納するときに、隣り合うＴシャツ５０、５１、５２が直接接触することを防止できるため、互いに引っ掛かって型崩れすることなく、いずれのＴシャツの折り畳み形状も崩さずにスムーズに挿し入れることができる。【００４３】  また、所望のＴシャツ５０を取り出すときは、引き出しケース４０内に収納されている全衣類を上面開口部４０ａから一目瞭然に見渡すことができ、所望のＴシャツ５０を容易に探し出せると共に、該Ｔシャツ５０にゴム面１１ｂを着接させている仕切り板１１と共に引き出すことにより、該仕切り板１１の外側面である平滑面１１ａが、隣接するＴシャツ５２との摩擦を防ぎ、反対側で隣接するＴシャツ５１との間では、該Ｔシャツ５１に着接する仕切り板１１の平滑面１１ａが同様に摩擦を防ぐため、隣り合う衣類同士で引っ掛かりあうことなく、スムーズに取り出すことができる。【００４４】  さらに、図３（Ｂ）に示すように、Ｔシャツ５０��前記二つ折り箇所Ａを上方に向けて収納することにより、該二つ折り箇所Ａが前記押さえ板１２の上端縁１２ｃに引っ掛かり、垂直に収納されているＴシャツ５０のずり落ちを防止でき、収納中の型崩れ等を防止できる。また、仕切り板１１のＴシャツ５０に着接する側の面をゴム面１１ｂとし、押さえ板１２の両面もゴム面１２ａ、１２ｂとしているため、仕切り板１１および押さえ板１２とＴシャツ５０との間は適度な摩擦により位置ズレが起こらず、Ｔシャツ５０が仕切り板１１や押さえ板１２から滑り落ちることを防止できる。【００４５】  さらにまた、Ｔシャツ５０の前表面５０ａには凹凸のない仕切り板１１の表面１１ａ、１１ｂが着接するため、目立ちやすい前表面５０ａに妙な型等がつくこともなく、取り出したときに即座に美しく着用することができる。
また、本衣類収納補助具１０−１は、それぞれ別体の２枚の薄い板１１、１２よりなり、一定不変の幅（厚み）を有する枠形状や箱形状を備えないため、収納時に場所をとらず、収納効率の低下を防止できる。【００４６】  本衣類収納補助具１０−１は、図４に示すように、水平重ね収納に用いても、隣り合う衣類との摩擦を仕切り板１１の平滑面１１ａにより防ぐことができるため、所望の衣類をスムーズに出し入れできる。【００４７】  図５は本発明の第二実施形態に係る衣類収納補助具１０−２を示し、該衣類収納補助具１０−２は、垂直重ね収納時の高さ寸法を調節可能な構成としている。その他の構成と使用方法は前記第一実施形態と同一であるため、同一符号を付して説明を省略する。
具体的には、図５（Ａ）に示すように、仕切り板１１および押さえ板１２の、垂直重ね収納状態における上端縁１１ｃ、１２ｃより所要間隔をあけて該上端縁１１ｃ、１２ｃに平行に複数本の折れ筋１３を設けている。これにより、図５（Ｂ）にも示すように、該衣類収納補助具１０−２の使用者が前記折れ筋１３に沿って仕切り板１１および押さえ板１２の不要な部分を折り取って、各自の収納ケースの深さに最適なサイズに調節することができる。
なお、前記折れ筋１３は１本でもよい。また、折れ筋１３は、仕切り板１１および押さえ板１２の下端縁１１ｄ、１２ｄに沿って設けてもよい。あるいは、仕切り板１１および押さえ板１２の左右いずれか一方の端縁１１ｅ、１１ｆ、１２ｅ、１２ｆに沿って折れ筋１３を設け、収納ケースの幅に対応させて横幅サイズを調節できる構成としてもよい。【００４８】  図６は本発明の第三実施形態に係る衣類収納補助具１０−３を示している。該衣類収納補助具１０−３は１枚の厚紙で作製され、折り目１４に沿って二つ折りし、該折り目１４に沿って、仕切り板１１の下端縁１１ｄに押さえ板１２を折り畳み開閉可能に接続している。本実施形態においても、仕切り板１１の高さｈ１が押さえ板１２の高さｈ２よりも長寸となるように設定している。その他の構成と使用方法は第一実施形態と同一であるため同一符号を付して説明を省略する。【００４９】  該衣類収納補助具１０−３を前記Ｔシャツ５０に使用するときは、図６（Ｂ）に示すように、Ｔシャツ５０の二つ折り箇所Ａの内側に押さえ板１２を差し挟むと共に、前記折り目１４を下部折重部Ａ２の裾側５０ｄに対向させ、該下部折重部Ａ２を仕切り板１１と押さえ板１２とで挟み押さえる。
なお、前記折り目１４を上部折重部Ａ１の襟肩側に対向させ、該上部折重部Ａ１を仕切り板１１と押さえ板１２とで挟み押さえて使用してもよい。【００５０】  図７および図８は本発明の第四実施形態に係る衣類収納補助具１０−４を示している。該衣類収納補助具１０−４は１枚の厚紙で作製され、図７に示すように、折り目１４ａ、１４ｂに沿って三つ折りし、該折り目１４ａ、１４ｂに沿って、仕切り板１１の左右両側端縁１１ｅ、１１ｆに一対の押さえ板１２、１２を観音扉状に開閉可能に接続している。その他の構成と使用方法は第一実施形態と同一であるため、同一符号を付して説明を略する。【００５１】  前記左右一対の押さえ板１２、１２は、互いに閉位置の場合でも全く重ならないように、幅ｗ２、ｗ３を、仕切り板１１の幅ｗ１の略半分に設定している。【００５２】  本衣類収納補助具１０−４をＴシャツ５０の垂直重ね収納に使用するときは、図８（Ａ）に示すように、Ｔシャツ５０の二つ折り箇所Ａの間に、左右一対の前記押さえ板１２、１２を閉じて挟みいれ、かつ、各押さえ板１２、１２の上端縁１２ｃ、１２ｃを前記二つ折り箇所Ａの内側に突き当てることにより、図８（Ｂ）に示すように、該二つ折り箇所Ａを上方に向けてＴシャツ５０を垂直に立てて収納することができる。【００５３】  図９および図１０は本発明の第五実施形態に係る衣類収納補助具１０−５を示している。該衣類収納補助具１０−５は、仕切り板１１および押さえ板１２を可撓性プラスチックで作製し、該仕切り板１１の左右両側端縁１１ｅ、１１ｆに蝶番１５を介して一対の押さえ板１２、１２を観音扉状に開閉可能に接続している。また、仕切り板１１の下端部には下部押さえ部１１ｇを形成している。その他の構成と使用方法は第一実施形態と同一であるため同一符号を付して説明を省略する。【００５４】  前記蝶番１５は平型蝶番よりなり、具体的には、図９（Ｂ）に示すように、仕切り板１１の左右両側の接続端から突設したカール部１５ａと、押さえ板１２、１２の接続端から突設したカール部１５ｂに、軸１５ｃを通してなり、該蝶番１５を介して仕切り板１１と押さえ板１２とを互いに枢着している。【００５５】  前記下部押さえ部１１ｇは、仕切り板１１の下端部をゴム面１１ｂ側に曲げ返して、断面Ｊ字状に連続一体に形成している。【００５６】  この衣類収納補助具１０−５は、紳士用Ｔシャツなどの丈長Ｔシャツの垂直重ね収納や、浅い収納ケースへの垂直重ね収納に好適に用いられる。即ち、図１０（Ａ）に示すように、Ｔシャツ５０の下部折重部Ａ２の裾側５０ｄを折り返す場合、胸位置の二つ折り箇所Ａの内側に前記押さえ板１２、１２の上端縁１２ｃ、１２ｃを突き当てると共に、図１０（Ｂ）に示すように、下部折重部Ａ２の前記折り返し箇所Ｂを前記下部押さえ部１１ｇで受けさせることにより、垂直重ね収納時に、前記二つ折り箇所Ａも折り返し箇所Ｂも折り畳み崩れを防止できる。
あるいは、図１０（Ｃ）に示すように、前記折り返し箇所Ｂを含め、上下折重部Ａ１、Ａ２をまとめて下部押さえ部１１ｇに差し込み、垂直重ね収納時にＴシャツ５０の下部全体を下部押さえ部１１ｇで受けさせてもよい。【００５７】  図１１および図１２は本発明の第六実施形態にかかる衣類収納補助具１０−６を示している。該衣類収納補助具１０−６は、可撓性を有する樹脂で一体成形してなり、仕切り板１１の下端縁１１ｄに押さえ板１２を薄肉ヒンジ部１６を介して開閉可能に接続している。その他の構成と使用方法は第一実施形態と同一であるため、同一符号を付して説明を省略する。【００５８】  前記薄肉ヒンジ部１６により、仕切り板１１の接続端である下端縁１１ｄと押さえ板１２の接続端である下端縁１２ｄとの間が所要寸法離反すると共に、その接続端間寸法Ｌ１は、ヒンジ部１６の弾性変形により変更可能としている。【００５９】  該衣類収納補助具１０−６をＴシャツ５０の垂直重ね収納に使用するとき、Ｔシャツ５０が薄手の場合は、図１２（Ａ）に示すように、ヒンジ部１６が幅方向に圧縮されて仕切り板１１と押さえ板１２の間を狭め、厚手の場合は、図１２（Ｂ）に示すように、ヒンジ部１６が幅方向に伸びて仕切り板１１と押さえ板１２の間を広げることができる。【００６０】  図１３は本発明の第七実施形態に係る衣類収納補助具１０−７を示している。該衣類収納補助具１０−７は、可撓性を有する樹脂で一体成形してなり、仕切り板１１の左側端縁１１ｅに断面円弧形状の板バネ部１７を介して押さえ板１２を左右方向に開閉可能に接続している。その他の構成と使用方法は第一実施形態と同一であるため、同一符号を付して説明を省略する。【００６１】  本実施形態においても、図１３（Ｂ）に示すように、Ｔシャツ５０の二つ折り箇所Ａの間に押さえ板１２を挟み入れ、該押さえ板１２の上端縁１２ｃを二つ折り箇所Ａの内側に突き当てることにより、垂直重ね収納時のＴシャツ５０のずり落ちを防止できると共に、前記板バネ部１７により仕切り板１１と押さえ板１２とが常に閉鎖方向に付勢されるため、Ｔシャツ５０の下部折重部Ａ２を仕切り板１１と押さえ板１２とでしっかりと挟持することができる。【００６２】  図１４および図１５は本発明の第八実施形態に係る衣類収納補助具１０−８を示している。該衣類収納補助具１０−８は、仕切り板１１と押さえ板１２とを屈伸変形可能な連結板１８を介して開閉可能に接続している。その他の構成と使用方法は第一実施形態と同一であるため、同一符号を付して説明を省略する。【００６３】  前記連結板１８は、図１４（Ｂ）に示すように、多数の針金１８ａを平行に配置し、その上下両面をフレキシブルなプラスチックシート１８ｂ、１８ｂで覆い、上下プラスチックシート１８ｂ、１８ｂの対向面１８ｃ、１８ｃを接着剤で固着してなる。前記針金１８ａは、配置方向の両端を前記プラスチックシート１８ｂ、１８ｂの周縁より突出させ、一端側の突出部分を、仕切り板１１を構成する２枚の外内プラスチックシート１１−１、１１−２で挟み固着し、他端側の突出部分は、押さえ板１２を構成する２枚の外内プラスチックシート１２−１、１２−２の間で挟み固着している。これにより、連結板１８は、仕切���板１１の下端縁１１ｄと押さえ板１２の下端縁１２ｄに連続して取り付けられる。【００６４】  仕切り板１１を構成する前記外内プラスチックシート１１−１、１１−２のうち、少なくとも一方は一定の剛性を備える板状とし、押さえ板１２も同様に、外内プラスチックシート１２−１、１２−２のうちの少なくとも一方は一定の剛性を備える板状とし、仕切り板１１および押さえ板１２の剛性を前記連結板１８より高く設計している。【００６５】  本実施形態では、連結板１８内の針金１８ａの屈伸変形性を利用して、仕切り板１１と押さえ板１２とを上下方向に開閉させると共に、仕切り板１１と押さえ板１２との間に挟まれる衣類の厚みに応じて、図１５（Ａ）（Ｂ）に示すように、仕切り板１１と押さえ板１２との接続端間寸法Ｌ１を増減できる。また、前記針金１８ａの形状維持性を利用して、仕切り板１１と押さえ板１２との間に衣類をしっかりと挟み押さえることができる。【００６６】  図１６は本発明の第九実施形態に係る衣類収納補助具１０−９を示し、仕切り板１１と押さえ板１２とを帯紐状の複数の連結片１９を介して開閉可能に接続している。その他の構成と使用方法は第八実施形態と同一であるため、同一符号を付して説明を省略する。【００６７】  なお、前記いずれの実施形態も、前記押さえ板１２の形状は、衣類の二つ折り箇所Ａの内側を押さえる上端縁１２ｃを有する形状であればよい。また、図１７（Ａ）に示すような日字形状、図１７（Ｂ）に示すようなロ字形状、図１７（Ｃ）に示すようなコ字形状、図１７（Ｄ）に示すようなＥ字形状などとして、二つ折り箇所Ａを押さえる第一押さえ部１２ｇと、該二つ折り箇所Ａよりも下方位置を押さえる第二押さえ部１２ｈ、さらには第三押さえ部１２ｉを間隔をあけて備える形状としてもよい。【００６８】  前記仕切り板１１および押さえ板１２の材質は、プラスチック、金属、紙等のいずれでもよい。
また、押さえ板１２の内外表面は、図１８（Ａ）に示すように複数の穴１２ｊを設ける、図１８（Ｂ）に示すように複数の突起１２ｋを設ける、図１８（Ｃ）に示すように水平方向に複数の突条１２ｍを設ける、あるいは、図１８（Ｄ）に示すようにメッシュ状に突条１２ｎを設けるなどにより、凹凸面を形成してもよい。前記突起１２ｋや突条１２ｍ、１２ｎはゴムで形成してもよい。あるいは、押さえ板１２そのものをゴム板で形成してもよい。【００６９】  前記いずれの実施形態においても、図１９（Ａ）に示すように（図示は第六実施形態に係る衣類収納補助具１０−６の例）、仕切り板１１の下端縁１１ｄ近傍の左右両隅に帯ゴム２０の両端を固定し、垂直収納状態のＴシャツ５０の下部全体を、仕切り板１１と該帯ゴム２０とで表裏両面から挟み押さえる構成としてもよい。これにより、Ｔシャツ５０全体の折り畳み崩れをより確実に防止することができる。前記帯ゴム２０には、いわゆる「パジャマゴム」のように、幅広で厚みが薄イ伸縮ゴムが好ましい。
なお、前記帯ゴム２０は、押さえ板１２の下端縁１２ｄ近傍の左右両隅に取り付けてもよい。【００７０】  図２０は本発明の第十実施形態に係る衣類収納補助具１０−１０を示している。該衣類収納補助具１０−１０は、仕切り板１１のゴム面１１ｂ側の、上端縁１１ｃ近傍の左右両隅部に、伸縮性ゴム紐２１の両端を金具３０で加締め固定してなる。その他の構成と使用方法は第一実施形態と同一であるため、同一符号を付して説明を省略する。【００７１】  前記ゴム紐２１は、図２０（Ｂ）にも示すように、丸太の左紐２１ａと右紐２１ｂからなり、該左右紐２１ａ、２１ｂを中央の連結部３１で分離可能に連結してなる。左紐２１ａの分離端にはフック３１ａを取り付け、右紐２１ｂの分離端には引っ掛け輪３１ｂを形成し、左右紐２１ａ、２１ｂを連結する場合は、前記引っ掛け輪３１ｂに前記フック３１ａを引っ掛けて連結する。【００７２】  該衣類収納補助具１０−１０をＴシャツ５０の垂直重ね収納に使用するときは、図２１（Ａ）に示すように、仕切り板１１のゴム面１１ｂを、収納形状のＴシャツ５０の下部折重部Ａ２の外側表面に着接すると共に、二つ折り箇所Ａの内側に、連結された前記ゴム紐２１が当たるようにＴシャツ５０を配置する。次に、図２１（Ｂ）に示すように、二つ折り箇所Ａが上方に向くようにＴシャツ５０を垂直に立てて重ね収納する。【００７３】  本実施形態においても、垂直に立てられたＴシャツ５０の二つ折り箇所Ａが、前記ゴム紐２１に引っ掛かり、該ゴム紐２１は直立する前記仕切り板１１に固定されているため、Ｔシャツの下方へのずり落ちを防止できる。【００７４】  図２２は本発明の第十一実施形態に係る衣類収納補助具１０−１１を示している。該衣類収納補助具１０−１１は、前記ゴム紐２１よりも下方位置に第二ゴム紐２２を設けている。該第二ゴム紐２２も、左右紐２２ａ、２２ｂを連結部３１（３１ａ、３１ｂ）で分離可能に連結してなる。その他の構成と使用方法は第十実施形態と同一であるため、同一符号を付して説明を省略する。【００７５】  該衣類収納補助具１０−１１を用いると、Ｔシャツ５０の下部折重部Ａ２の裾側５０ｄを折り返している場合、図２３（Ａ）に示すように、折り返した裾部５０ｄを前記第二ゴム紐２２で押さえ固定することができる。
あるいは、図２３（Ｂ）に示すように、前記第二ゴム紐２２を、Ｔシャツ５０を挟んで仕切り板１１とは反対側の外側に出し、Ｔシャツ５０の上下折重部Ａ１、Ａ２をともに仕切り板１１と該第二ゴム紐２２とで表裏両面から挟み押さえるように使用してもよい。【００７６】  図２４は本発明の第十二実施形態に係る衣類収納補助具１０−１２を示している。該衣類収納補助具１０−１２には、仕切り板１１の上端縁１１ｃ近傍の左右両隅部に縦長形状のゴム通し穴１１ｈを穿設し、該左右ゴム通し穴１１ｈに伸縮性帯状ゴムバンド２３の両端を通した後、該両端を折り返してリング状に縫着することにより、該帯状ゴムバンド２３の両端を仕切り板１１に固定している。その他の構成と使用方法は第十実施形態と同一であるため、同一符号を付して説明を省略する。【００７７】  前記帯状ゴムバンド２３は、図２４（Ｂ）にも示すように、左バンド２３ａと右バンド２３ｂからなり、該左右バンド２３ａ、２３ｂの分離端側の対向面に取り付けられた面ファスナー３２（３２ａ、３２ｂ）で分離可能に結合してなる。【００７８】  本衣類収納補助具１０−１２をＴシャツ５０の垂直重ね収納に使用する場合も、前記帯状ゴムバンド２３が二つ折り箇所Ａを内側から支えるため、Ｔシャツ５０のずり下がりを防止することができる。
なお、本実施形態においても、前記帯状ゴムバンド２３よりも下方位置に、前記第十一実施形態と同様に第二の帯状ゴムバンド、あるいは第三、第四の帯状ゴムバンドを設けても良い。【００７９】  図２５は本発明の第十三実施形態に係る衣類収納補助具１０−１３を示している。該衣類収納補助具１０−１３には、仕切り板１１の上端縁１１ｃ近傍の左右両隅部にゴム通し穴１１ｉを穿設し、該左右ゴム通し穴１１ｉに細幅の伸縮性帯状ゴムバンド２４の両端を通した後、該両端を折り返してリング状に縫着することにより、該帯状ゴムバンド２４の両端を仕切り板１１に固定している。その他の構成と使用方法は第十実施形態と同一であるため、同一符号を付して説明を省略する。【００８０】  前記帯状ゴムバンド２４は、図２５（Ｂ）にも示すように、左バンド２４ａと右バンド２４ｂからなり、該左右バンド２４ａ、２４ｂの分離端側の対向面に取り付けられた雌雄スナップ３３（３３ａ、３３ｂ）で分離可能に結合してなる。なお、雌雄スナップ３３ａ、３３ｂの一方を間隔をあけて複数個取り付け、衣類の厚みに応じて雌雄嵌合位置を調節できるようにしている。【００８１】  本衣類収納補助具１０−１３をＴシャツ５０の垂直重ね収納に使用する場合も、前記帯状ゴムバンド２４が二つ折り箇所Ａを内側から支えるため、Ｔシャツ５０のずり下がりを防止することができる。
なお、本実施形態においても、前記帯状ゴムバンド２４よりも下方位置に、前記第十一実施形態と同様に第二の帯状ゴムバンド、あるいは第三、第四の帯状ゴムバンドを設けても良い。【００８２】  図２６は本発明の第十四実施形態に係る衣類収納補助具１０−１４を示している。該衣類収納補助具１０−１４はプラスチックで一体成形してなり、仕切り板１１の左右両側端縁１１ｅ、１１ｆの上端部に、薄肉ヒンジ１１ｊを介して左右一対の帯状バンド２５（２５ａ、２５ｂ）を回動自在に接続してなる。その他の構成と使用方法は第十実施形態と同一であるため、同一符号を付して説明を省略する。【００８３】  前記帯状バンド２５は、図２６（Ｂ）にも示すように、左バンド２５ａと右バンド２５ｂからなり、該左右バンド２５ａ、２５ｂの一方の分離端側に上向きスリット３４ａを、他方の分離端側に下向きスリット３４ｂを設け、該上下スリット３４ａ、３４ｂを噛合させて連結できる構成としている。なお、上下スリット３４ａ、３４ｂの一方を間隔をあけて複数個設け、衣類の厚みに応じて噛合位置を調節できるようにしている。【００８４】  本衣類収納補助具１０−１４をＴシャツ５０の垂直重ね収納に使用する場合も、前記帯状バンド２５が二つ折り箇所Ａを内側から支えるため、Ｔシャツ５０のずり下がりを防止することができる。
なお、本実施形態においても、前記帯状バンド２５よりも下方位置に、前記第十一実施形態と同様に第二の帯状バンド、あるいは第三、第四の帯状バンドを設けても良い。【００８５】  なお、前記実施形態１０−１０〜１０−１４のいずれにおいても、仕切り板１１の形状を、前記実施形態１０−５の仕切り板１１のように断面Ｊ字状として下部押さえ部１１ｇを設けてもよい。【００８６】  また、前記実施形態１０−１０〜１０−１４のいずれにおいても、前記ゴム紐２１、２２、帯状ゴムバンド２３、２４、帯状バンド２５を、それぞれ２本一対としない１本の連続ゴム紐または連続バンドで構成してもよい。その場合、左右いずれか一端は仕切り板１１に固定し、他端は着脱可能に固定する構成とすることが好ましい。例えば、図２７（Ａ）（Ｂ）に示すように（図示はゴム紐の例）、該ゴム紐２６の一端を仕切り板１１に加締め固定し、他端には結び目等で大径部２６ａを形成し、仕切り板１１の端縁より形成したスリット１１ｋにゴム紐２６を差し込み、大径部２６ａを仕切り板１１の平滑面１１ａ側に係止して固定する構造としてもよい。【００８７】  本発明は前記実施形態に限定されるものではない。また、前記いずれの実施形態にかかる衣類収納補助具も、垂直重ね収納と水平重ね収納を問わず使用でき、かつ、仕切り板と押さえ板または押さえバンドとの間には、二つ折りされた衣類の下部折重部と上部折重部のどちらを挟んで収納してもよい。
【図面の簡単な説明】
【００８８】
【図１】  本発明の第一実施形態に係る衣類収納補助具の斜視図である。
【図２】  （Ａ）（Ｂ）は図１に示す衣類収納補助具の使用方法を示す説明図である。
【図３】  図１に示す衣類収納補助具を用いて引き出しケースにＴシャツを垂直重ね収納した状態を示す説明図であり、（Ａ）は斜視図であり、（Ｂ）は概略側面図である。
【図４】  図１に示す衣類収納補助具を用いてＴシャツを水平重ね収納した状態を示す斜視図である。
【図５】  第二実施形態を示し、（Ａ）は平面図であり、（Ｂ）は使用方法を示す説明図である。
【図６】  第三実施形態を示し、（Ａ）は斜視図であり、（Ｂ）は垂直重ね収納における使用状態を示す概略側面図である。
【図７】  第四実施形態を示す斜視図である。
【図８】  第四実施形態に係る衣類収納補助具の使用方法を示し、（Ａ）は平面図であり、（Ｂ）は垂直重ね収納における使用状態を示す斜視図である。
【図９】  第五実施形態に係る衣類収納補助具を示し、（Ａ）は斜視図であり、（Ｂ）は蝶番の拡大斜視図である。
【図１０】  第五実施形態に係る衣類収納補助具の使用方法を示し、（Ａ）はＴシャツの折り畳み例を示す平面図であり、（Ｂ）（Ｃ）は収納状態を示す概略側面図である。
【図１１】  第六実施形態に係る衣類収納補助具を示し、（Ａ）は斜視図であり、（Ｂ）は薄肉ヒンジ部の拡大斜視図である。
【図１２】  （Ａ）（Ｂ）は第六実施形態に係る衣類収納補助具の使用例を示す概略側面図である。
【図１３】  第七実施形態に係る衣類収納補助具を示し、（Ａ）は斜視図であり、（Ｂ）は垂直重ね収納における使用状態を示す斜視図である。
【図１４】  第八実施形態に係る衣類収納補助具を示し、（Ａ）は斜視図であり、（Ｂ）は要部の構造説明図である。
【図１５】  （Ａ）（Ｂ）は第八実施形態に係る衣類収納補助具の使用例を示す概略側面図である。
【図１６】  第九実施形態に係る衣類収納補助具を示す斜視図である。
【図１７】  （Ａ）〜（Ｄ）は押さえ板の他の形状例を示す斜視図である。
【図１８】  （Ａ）〜（Ｄ）は押さえ板の内外表面の形状例を示す拡大斜視図である。
【図１９】  支持板の下部に帯ゴムを取り付けた例を示し、（Ａ）は斜視図であり、（Ｂ）は使用例を示す概略側面図である。
【図２０】  第十実施形態に係る衣類収納補助具を示し、（Ａ）は斜視図であり、（Ｂ）は連結部の拡大斜視図である。
【図２１】  （Ａ）（Ｂ）は第十実施形態に係る衣類収納補助具の使用方法を示す説明図である。
【図２２】  第十一実施形態に係る衣類収納補助具を示す斜視図である。
【図２３】  （Ａ）（Ｂ）は第十一実施形態に係る衣類収納補助具の使用例を示す概略側面図である。
【図２４】  第十二実施形態に係る衣類収納補助具を示し、（Ａ）は斜視図であり、（Ｂ）は要部拡大説明図である。
【図２５】  第十三実施形態に係る衣類収納補助具を示し、（Ａ）は斜視図であり、（Ｂ）は要部拡大説明図である。
【図２６】  第十四実施形態に係る衣類収納補助具を示し、（Ａ）は斜視図であり、（Ｂ）は要部拡大説明図である。
【図２７】  （Ａ）（Ｂ）は押さえバンドの他の例を示す図である。
【図２８】  従来例の図である。
【図２９】  他の従来例の図である。
【図３０】  他の従来例の図である。
【符号の説明】
【００８９】  １０−１〜１０−１４  衣類収納補助具
１１  仕切り板
１１ａ  平滑面
１２  押さえ板
１２ａ、１２ｂ  ゴム面
１５  蝶番
１６  薄肉ヒンジ部
１７  板バネ部
１８  連結板
１９  連結片
２１  ゴム紐
２２  第二ゴム紐
２３、２４  帯状ゴムバンド
２５  帯状バンド
３１  連結部
３２  面ファスナー
３３  雌雄スナップ
４０  引き出しケース
５０  Ｔシャツ
Ａ  二つ折り箇所
Ａ１  上部折重部
Ａ２  下部折重部
【図１】
2007145420.tif 000003
【図２】
2007145420.tif 000004
【図３】
2007145420.tif 000005
【図４】
2007145420.tif 000006
【図５】
2007145420.tif 000007
【図６】
2007145420.tif 000008
【図７】
2007145420.tif 000009
【図８】
2007145420.tif 000010
【図９】
2007145420.tif 000011
【図１０】
2007145420.tif 000012
【図１１】
2007145420.tif 000013
【図１２】
2007145420.tif 000014
【図１３】
2007145420.tif 000015
【図１４】
2007145420.tif 000016
【図１５】
2007145420.tif 000017
【図１６】
2007145420.tif 000018
【図１９】
2007145420.tif 000019
【図１７】
2007145420.tif 000020
【図１８】
2007145420.tif 000021
【図２０】
2007145420.tif 000022
【図２１】
2007145420.tif 000023
【図２２】
2007145420.tif 000024
【図２３】
2007145420.tif 000025
【図２４】
2007145420.tif 000026
【図２５】
2007145420.tif 000027
【図２６】
2007145420.tif 000028
【図２７】
2007145420.tif 000029
【図２８】
2007145420.tif 000030
【図２９】
2007145420.tif 000031
【図３０】
2007145420.tif 000032